(57)【要約】【課題】連動した決済端末とは異なる決済端末で決済されることを防止できる決済端末、決済処理システム、及びプログラムを提供する。【解決手段】金額を決定する複数の上位端末１２と、上位端末１２のいずれかと通信により接続して決定された金額の決済に関する処理を行う複数の決済端末１４と、決済を実行する情報処理センタ１６とを備える決済処理システム１００において、決済端末１４は、上位端末ＩＤを画面に表示する表示部３１０を備える。【選択図】図１
2019152981.tif 000002
【特許請求の範囲】
【請求項１】
金額を決定する複数の上位端末のいずれかと通信により接続して前記決定された金額の決済に関する処理を行う決済端末であって、
接続された前記上位端末を特定するための情報を画面に表示する表示部、
を備える決済端末。
【請求項２】
前記上位端末を特定するための情報を、前記上位端末に対応付けられたＩＤとする請求項１に記載の決済端末。
【請求項３】
前記上位端末に対応付けられた情報として画像が格納された記憶部を更に含み、
前記表示部は、前記上位端末を特定するための情報として前記画像を画面に表示する請求項１又は請求項２に記載の決済端末。
【請求項４】
スピーカ部と、
前記上位端末に対応付けられた情報として音が格納された記憶部を更に含み、
前記スピーカ部は、前記上位端末を特定するための情報として前記音を報知する請求項１〜３の何れか１項に記載の決済端末。
【請求項５】
前記上位端末に対応付けられた情報は、前記上位端末から取得して前記記憶部に格納する、請求項３又は請求項４に記載の決済端末。
【請求項６】
前記上位端末との通信が開始されてから、前記上位端末から前記決済に関する処理の要求を受けて、当該決済に関する処理が開始されるまで、前記上位端末を特定するための情報を前記表示部の画面に表示する、請求項１〜５の何れか１項に記載の決済端末。
【請求項７】
前記決済に関する処理が完了したことを前記上位端末に送信後、前記上位端末から終了要求を受けるまで、前記上位端末を特定するための情報を前記表示部の画面に表示する、請求項６に記載の決済端末。
【請求項８】
金額を決定する複数の上位端末と、前記上位端末のいずれかと通信により接続して前記決定された金額の決済に関する処理を行う複数の決済端末と、決済を実行する情報処理センタとを備える決済処理システムであって、
前記決済端末は、
接続された前記上位端末を特定するための情報を画面に表示する表示部、
を備える決済処理システム。
【請求項９】
コンピュータを、請求項１〜請求項７のいずれか１項に記載の決済端末の各部として機能させるためのプログラム。
【発明の詳細な説明】
【技術分野】
【０００１】
本発明は、決済端末、決済処理システム、及びプログラムに係り、特に、上位端末と無線により連動した決済端末で決済するための決済端末、決済処理システム、及びプログラムに関する。
【背景技術】
【０００２】
従来より、クレジット等の決済をする決済端末が、金額を入力する上位端末（ＰＯＳなど）と連動する決済処理システムがある。
【０００３】
また、決済端末と複数の接続装置とを組み合わせて使用する決済処理システムがある（特許文献１参照）。
【先行技術文献】
【特許文献】
【０００４】
【特許文献１】特開２０１６−１６２３５５号公報
【発明の概要】
【発明が解決しようとする課題】
【０００５】
従来の決済処理システムにおいて、決済を行う際は決済端末と上位端末とは１対１の組み合わせで使用されることが想定されていた。例えば、図７に示すように、同一店舗内に一台の上位端末と一台の決済端末が存在する場合である。しかし、同一店舗内に複数台の上位端末と複数台の決済端末が存在し、上位端末が任意の決済端末に接続可能な構成の場合、上位端末で決済を指定した決済端末が分かりづらく、誤った決済をしてしまうことがある、という問題があった。
【０００６】
例えば、上位端末のＰＯＳ（Point of Sale）端末が３台、決済端末が２台で構成される店舗の場合について図１に示す。図１に示す構成の店舗において、顧客Ａの１，０００円の決済と顧客Ｂの１０，０００円の決済の２つの決済を同時に実施しようとした際に、顧客Ａの決済をＰＯＳ端末（Ａ）にて１，０００円入力し決済端末（Ａ）と連動したとする。また、顧客Ｂの決済をＰＯＳ端末（Ｂ）にて１０，０００円入力し決済端末（Ｂ）と連動したとする。ＰＯＳ端末と決済端末が無線通信で接続するなどの場合、見た目上は、決済端末（Ａ）と決済端末（Ｂ）とのいずれも上位端末と連動しているが、どの上位端末と連動しているかが把握できない。このように、ＰＯＳ端末と決済端末の連動の組み合わせが判断しづらい場合は、顧客Ａの決済を決済端末（Ｂ）で実施してしまうなど決済端末を取り違えてしまう、といった連動した決済端末とは別の決済端末で決済してしまうことがあった。
【０００７】
本発明は、上記問題点を解決するために成されたものであり、連動した決済端末とは異なる決済端末で決済されることを防止できる決済端末、決済処理システム、及びプログラムを提供することを目的とする。
【課題を解決するための手段】
【０００８】
上記目的を達成するために、本発明に係る決済端末は、金額を決定する複数の上位端末のいずれかと通信により接続して前記決定された金額の決済に関する処理を行う決済端末であって、接続された前記上位端末を特定するための情報を画面に表示する表示部、を備える。
【０００９】
この発明によれば、接続された上位端末を特定するための情報を画面に表示することで、決済端末がいずれの上位端末と連動したかを特定することができ、上位端末と連動した決済端末とは異なる決済端末で決済されることを防止できる。
【００１０】
また、前記決済端末において、前記上位端末を特定するための情報を、前記上位端末に対応付けられたＩＤとしてもよい。
【００１１】
この発明によれば、連動した上位端末のＩＤを表示することで、決済端末がいずれの上位端末と連動したかを特定することができ、上位端末と連動した決済端末とは異なる決済端末で決済されることを防止できる。
【００１２】
また、前記決済端末において、前記上位端末に対応付けられた情報として画像が格納された記憶部を更に含み、前記表示部は、前記上位端末を特定するための情報として前記画像を画面に表示するようにしてもよい。
【００１３】
この発明によれば、上位端末に対応付けられた画像を画面に表示することで、決済端末がいずれの上位端末と連動したかをイメージにより特定することができ、上位端末と連動した決済端末とは異なる決済端末で決済されることを防止できる。
【００１４】
また、前記決済端末において、スピーカ部と、前記上位端末に対応付けられた情報として音が格納された記憶部を更に含み、前記スピーカ部は、前記上位端末を特定するための情報として前記音を報知するようにしてもよい。
【００１５】
この発明によれば、上位端末に対応付けられた音を報知することで、決済端末がいずれの上位端末と連動したかを音のパターンにより特定することができ、上位端末と連動した決済端末とは異なる決済端末で決済されることを防止できる。
【００１６】
また、前記決済端末において、前記上位端末に対応付けられた情報は、前記上位端末から取得して前記記憶部に格納するようにしてもよい。
【００１７】
この発明によれば、上位端末に対応付けられた情報を上位端末から取得して格納することにより、上位端末において上位端末に対応付けられた情報の管理が可能となる。
【００１８】
また、前記決済端末において、上位端末との通信が開始されてから、前記上位端末から前記決済に関する処理の要求を受けて、当該決済に関する処理が開始されるまで、前記上位端末を特定するための情報を前記表示部の画面に表示するようにしてもよい。
【００１９】
この発明によれば、通信が開始され、決済が開始されるまで、上位端末を特定するための情報を表示することで、決済を行おうとしている上位端末を確実に特定することができ、上位端末と連動した決済端末とは異なる決済端末で決済されることを防止できる。
【００２０】
また、前記決済端末において、前記決済に関する処理が完了したことを前記上位端末に送信後、前記上位端末から終了要求を受けるまで、前記上位端末を特定するための情報を前記表示部の画面に表示するようにしてもよい。
【００２１】
この発明によれば、決済に関する処理が完了するまで、上位端末を特定するための情報を表示することで、決済を行おうとしている上位端末を確実に特定することができ、上位端末と連動した決済端末とは異なる決済端末で決済されることを防止できる。
【００２２】
また、本発明に係る決済処理システムは、金額を決定する複数の上位端末と、前記上位端末のいずれかと通信により接続して前記決定された金額の決済に関する処理を行う複数の決済端末と、決済を実行する情報処理センタとを備える決済処理システムであって、前記決済端末は、接続された前記上位端末を特定するための情報を画面に表示する表示部、を備える。
【００２３】
この発明によれば、接続された上位端末を特定するための情報を画面に表示することで、決済端末がいずれの上位端末と連動したかを特定することができ、上位端末と連動した決済端末とは異なる決済端末で決済されることを防止できる。
【００２４】
また、本発明のプログラムは、コンピュータを、本発明の決済端末の各部として機能させるためのプログラムである。
【００２５】
この発明によれば、決済端末がいずれの上位端末と連動したかを特定することができ、上位端末と連動した決済端末とは異なる決済端末で決済されることを防止できる。
【発明の効果】
【００２６】
本発明によれば、上位端末と連動した決済端末とは異なる決済端末で決済されることを防止できる。
【図面の簡単な説明】
【００２７】
【図１】本発明の実施の形態に係る決済処理システムの一例を示す図であり、同一店舗内に複数台の上位端末と複数台の決済端末が存在する場合の一例を示す図である。
【図２】本発明の実施の形態に係る上位端末の構成を示すブロック図である。
【図３】本発明の実施の形態に係る決済端末の構成を示すブロック図である。
【図４】本発明の実施の形態に係る情報処理センタの構成を示すブロック図である。
【図５】本発明の実施の形態に係る決済処理システムにおける決済処理ルーチンを示すシーケンス図である。
【図６】上位端末と決済端末との連動状況に応じた決済端末の画面表示の一例を示す図である。
【図７】同一店舗内に一台の上位端末と一台の決済端末が存在する場合の決済処理システムの一例を示す図である。
【発明を実施するための形態】
【００２８】
以下、図面を参照して本発明の実施の形態を詳細に説明する。
【００２９】
＜本発明の実施の形態＞
本発明の実施の形態に係る決済処理システムの構成について説明する。図１に示すように、本発明の実施の形態に係る決済処理システム１００は、機能的には図１に示すように、複数の上位端末１２と、複数の決済端末１４とが同一店舗内でＷｉ−Ｆｉ（登録商標）やＢｌｕｅｔｏｏｔｈ（登録商標）といった無線通信により接続され、決済端末１４が無線通信によりインターネット等のネットワーク３を介して情報処理センタ１６と接続される。以下では、複数の上位端末１２のうちの一つの上位端末１２、複数の決済端末１４のうちの一つの決済端末１４について説明する。
【００３０】
上位端末１２は、クレジットやデビッドの売上、取消といった業務内容の選択や、顧客の購入商品の金額等の取引内容を入力するＰＯＳ端末等の装置である。また、上位端末１２は、店舗内、又は本社等に設置されている管理サーバ（図示省略）と接続され通信が可能となっている。
【００３１】
決済端末１４は、上位端末１２のいずれかと無線通信により接続して決済に関する処理を行う装置である。例えば、クレジットカードやデビットカード、電子マネーに対応したＩＣカードなどのカード情報を読み取って決済に関する決済情報を取得する。また、商品に係る決済前に実行キーが入力される。また、決済された伝票の印字を行う。
【００３２】
図２は、本実施の形態における上位端末１２の構成を示すブロック図である。図２に示すように、上位端末１２は、制御部２０２と、記憶部２０４と、通信部２０６と、表示部２０８と、入力部２１０と、スピーカ部２１２と、プリンタ部２１４とを含んで構成される。
【００３３】
制御部２０２は、ＣＰＵ（Central Processing Unit）を備え、上位端末１２全体を制御する。記憶部２０４は、ＲＡＭ（Random Access Memory）やＲＯＭ（Read Only Memory）を備え、種々の情報を記憶する。例えば、記憶部２０４は、自端末の個体識別番号や、店舗内での自端末のレジ番号、端末使用者の使用者ＩＤなどの必要な情報を記憶する。個体識別番号は、上位端末１２に割り振られている固有の番号、又はアルファベットなどの記号により構成されるＩＤである。レジ番号は、店舗内で割り振られた連番の番号、又はアルファベットなどの記号により構成されるＩＤである。使用者ＩＤは、上位端末１２を使用する端末使用者に対して予め登録されたＩＤである。個体識別番号、レジ番号、又は使用者ＩＤを上位端末ＩＤとして使用する。通信部２０６は、Ｗｉ−Ｆｉ等の無線通信により、決済端末１４と通信する。表示部２０８は、ＬＣＤ（Liquid Crystal Display）であり、種々の情報を表示する。入力部２１０は、金額の入力や端末使用者の認証キーなどを受け付ける。スピーカ部２１２は、通知などの音やアナウンスなどの音声を出力するスピーカである。プリンタ部２１４は伝票を印字するプリンタである。
【００３４】
図３は、本実施の形態における決済端末１４の構成を示すブロック図である。図３に示すように、決済端末１４は、制御部３０２と、記憶部３０４と、通信部３０６と、カード読取部３０８と、表示部３１０と、入力部３１２と、スピーカ部３１４と、プリンタ部３１６とを含んで構成される。
【００３５】
制御部３０２は、ＣＰＵを備え、決済端末１４全体を制御する。記憶部３０４は、上位端末１２から受け付けた上位端末ＩＤを記憶する。また、記憶部３０４は、決済に関わるカード情報などを一時的に記憶する。カード情報は、例えば、クレジットカードやデビットカード、ＩＣカードのカード番号、及び暗証番号などである。通信部３０６は、Ｗｉ−Ｆｉ等の無線通信により、上位端末１２、及び情報処理センタと通信する。カード読取部３０８は、クレジットカードからカード情報を読み取る磁気カードリーダやＩＣカードリーダなどの読取部である。表示部３１０は、ＬＣＤであり、種々の情報を表示する。表示部３１０が表示する情報は、例えば、上位端末１２との連動状況や、上位端末１２の個体識別番号である上位端末ＩＤなどである。入力部３１２は、暗証番号を入力するための、数字や記号を表すボタンなどを入力するキーパッドである。スピーカ部３１４は、通知などの音やアナウンスなどの音声を出力するスピーカである。プリンタ部３１６は、購入商品に係る伝票を印字するプリンタである。また、プリンタ部３１６での印字内容を、上位端末１２に送信し、プリンタ部２１４で印字することも可能である。なお、上位端末を特定するための情報の一例が上位端末ＩＤである。
【００３６】
情報処理センタ１６は、決済端末１４から決済要求を受け付け、決済を実行するサーバ装置である。
【００３７】
図４は、本実施の形態における情報処理センタ１６の構成を示すブロック図である。図４に示すように、情報処理センタ１６は、通信部４０２と、決済端末認証部４０４と、決済情報管理部４０６と、決済端末メンテナンス部４０８と、カード決済サービスセンタ中継部４１０とを備える。
【００３８】
通信部４０２は、ネットワーク３を介して決済端末１４と通信する。決済端末認証部４０４は、ＩＤやパスワード等を用いて決済端末１４を認証する。決済情報管理部４０６は、決済端末１４から受信したカード情報に基づいて決済処理を実行する。カード情報は、例えば、カード番号、及び暗証番号といった決済に必要な情報である。決済端末メンテナンス部４０８は、情報処理センタ１６にアクセスする決済端末１４のメンテナンスを行う。例えば、決済端末メンテナンス部４０８は、メンテナンスとして、不正操作した決済端末１４を一時的に利用不可にする。カード決済サービスセンタ中継部４１０は、クレジットカード会社等のサーバ装置と接続してクレジットカードによる決済処理を実行する。
【００３９】
次に、本発明の実施の形態の処理シーケンスについて図５を参照して説明する。なお、以下の処理シーケンスでは、複数の上位端末１２のうちの一つの上位端末と、複数の決済端末１４のうちの一つの決済端末とが通信するものとして説明する。
【００４０】
まず、Ｓ１００で、上位端末１２は、入力部２１０で金額の入力を受け付ける。ここでは、バーコード等で読み込まれた金額が自動的に入力されるものとする。
【００４１】
Ｓ１０２で、上位端末１２は、クレジット売上等の決済種別の選択を受け付ける。決済種別は、現金、クレジットカード、デビットカード、及び電子マネーのＩＣカードなどを選択でき、本実施の形態では、クレジットカードを選択したものとする。
【００４２】
Ｓ１０３で、上位端末１２は、連動する決済端末１４を上位端末１２で指定する。
【００４３】
なお、Ｓ１０３における決済端末１４を指定する方法については、上位端末１２において、その時使用可能な決済端末１４の識別情報を表示させ従業員に選択させる方法や、上位端末１２において連動対象となる複数台分の決済端末１４の識別情報を優先順位と共に記憶しておき、その優先順位に応じて、決済端末１４の中から現在使用可能な決済端末１４を自動的に指定する方法等が考えられるが、どのような方法を採用してもよい。
【００４４】
Ｓ１０４で、決済端末１４は、Ｓ１０３で指定した決済端末１４へ、連動開始要求を送信する。この際、上位端末ＩＤを決済端末１４に通知する。
【００４５】
Ｓ１０６で、決済端末１４は、別の上位端末１２と連動していない状態であれば、上位端末１２に連動開始応答をする。なお、決済端末１４は、別の上位端末１２と連動している状態であれば、連動開始応答をしないものとする。そのため上位端末１２は、連動開始応答が無ければ、他の決済端末１４を指定して連動開始要求を送信する。また、決済端末１４は、上位端末１２との連動が開始されるまでは、図６（Ａ）に示すような待機中の表示を表示部３１０の画面に表示している。
【００４６】
Ｓ１０８で、決済端末１４は、上位端末１２との連動を開始すると、端末認証画面としてＳ１０４で通知された上位端末ＩＤを、図６（Ｂ）に示すような認証中の表示により表示部３１０の画面に表示する。
【００４７】
Ｓ１１０で、上位端末１２は、決済端末１４へ端末認証要求を送信する。
【００４８】
Ｓ１１２で、決済端末１４は、端末認証に成功した場合に、上位端末１２に認証成功を応答する。端末認証は上位端末１２と決済端末１４とで、あらかじめ定められた認証手続きにより生成されるＩＤが一致した場合に成功とする。
【００４９】
Ｓ１１４で、決済端末１４は、連動中画面としてＳ１０４で通知された上位端末ＩＤを、図６（Ｃ）に示すような連動中の文字により表示部３１０の画面に表示する。
【００５０】
Ｓ１１６で、上位端末１２は、決済端末１４に決済開始要求を送信する。
【００５１】
Ｓ１１８で、決済端末１４は、取引開始画面としてＳ１０４で通知された上位端末ＩＤとともに、図６（Ｄ）に示すように、取引開始の表示を表示部３１０の画面に表示する。
【００５２】
Ｓ１２０で、決済端末１４は、カード読取部３０８により、クレジットカードのカード情報を読み取る。
【００５３】
Ｓ１２２で、決済端末１４は、入力部３１２からカード利用者が暗証番号を入力操作することにより、カード情報としてクレジットカードの暗証番号を受け付ける。
【００５４】
Ｓ１２４で、決済端末１４は、情報処理センタ１６にカード情報を含む決済要求を送信する。
【００５５】
Ｓ１２６で、情報処理センタ１６は、カード情報に基づいて、決済処理を実行する。決済処理は、情報処理センタ１６がカード会社のサーバ装置（図示省略）と通信して、カード情報に基づいて決済処理が行われる。
【００５６】
Ｓ１２８で、情報処理センタ１６は、決済端末１４に決済端末に決済応答を送信する。
【００５７】
Ｓ１３０で、決済端末１４は、購入商品に係る決済の伝票印字を実行する。なお、伝票印字を上位端末１２側で実行する場合は、決済応答を上位端末１２に通知し、上位端末１２側で伝票印字を実行する。
【００５８】
Ｓ１３２で、決済端末１４から上位端末１２へ決済完了応答を送信する。
【００５９】
Ｓ１３４で、決済端末１４は、連動中画面としてＳ１０４で通知された上位端末ＩＤを、図６（Ｅ）に示すような文字により表示部３１０の画面に表示する。
【００６０】
Ｓ１３６で、上位端末１２から決済端末１４へ終了要求を送信する。
【００６１】
Ｓ１３８で、決済端末１４から上位端末１２へ終了応答を送信し、上位端末１２との連動状態を解除する。また、上位端末１２との連動が解除されたことにより、図６（Ｆ）に示すような待機中の表示に表示部３１０の画面が切り替わる。
【００６２】
以上説明したように、本発明の実施の形態に係る決済処理システムによれば、決済端末において、接続された上位端末を特定するための情報を画面に表示する。これにより、複数の上位端末と、複数の決済端末とが同一店舗内にある構成において、複数の上位端末で２つ以上の決済を同時に実施しようとしたケースにおいて、決済端末側でいずれの上位端末と連動したかを特定できるため、連動した決済端末とは異なる決済端末で決済されることを防止できる。なお、本実施の形態では、上位端末を特定するための情報として上位端末ＩＤを画面に表示する。
【００６３】
＜実施の形態の変形例＞
上述した実施の形態の変形例について説明する。
【００６４】
例えば、決済端末１４は、上位端末を特定するための情報として画像、色、及び音の少なくとも一つを用いてもよい。この場合には、決済端末の記憶部３０４に、上位端末ＩＤと対応付けられた、画像、色、及び音を保持するものとする。画像であれば、例えば、上位端末１２を識別するための図柄である。色であれば、例えば、上位端末１２を識別するための色である。音であれば、例えば、上位端末１２に対応したメロディや音声である。Ｓ１０４の連動開始要求で上位端末１２のＩＤを取得して以降、画像により通知する場合には、決済端末１４は、表示部３１０に上位端末ＩＤに対応付けられた画像を表示する。色により通知する場合には、決済端末１４は、表示部３１０に上位端末ＩＤに対応付けられた色のマークを表示する。音により報知する場合には、決済端末１４は、表示部３１０による表示と共に、スピーカ部３１４により上位端末ＩＤに対応付けられた音を報知する。また、画像、色及び音の情報は、予め記憶部３０４に記憶させておいてもよく、または、上位端末１２から所定のタイミングで取得するようにしてもよい。所定のタイミングとは、例えば、決済端末１４の電源投入時に全種類を一括で取得したり、決済実行時に取得するなどが考えられる。
【００６５】
なお、本発明は、上述した実施の形態に限定されるものではなく、この発明の要旨を逸脱しない範囲内で様々な変形や応用が可能である。
【００６６】
例えば、上述した実施の形態では、決済処理システムにおいて、上位端末と決済端末とが無線通信により接続される場合について説明したが、有線により接続されている場合も同様に本発明の実施の形態の手法を適用できる。有線の配線が入り組んでいるような店舗で、２つ以上の決済を同時に実施しようとしたケースに対し、上位端末を特定するための情報を画面に表示することにより、連動した決済端末とは異なる決済端末で決済されることを防止できる。
【００６７】
また、例えば、決済処理システムにおいて、上位端末が３台以上、決済端末が２台などの限られた数であって、上位端末同士が無線で接続し、決済端末が特定の上位端末と有線で接続される場合も想定される。このように決済端末を共有して使用する場合においても、本発明の実施の形態の手法を適用し、上位端末を特定するための情報を画面に表示することにより、連動した決済端末とは異なる決済端末で決済されることを防止できる。
【００６８】
また、例えば、決済処理システムの上位端末において、いずれの決済端末と連動するように指定したかを、上位端末側の表示部に表示させるようにしてもよい。これにより、連動している決済端末を発見しやすくなる。
【符号の説明】
【００６９】
３     ネットワーク
１２   上位端末
１４   決済端末
１６   情報処理センタ
１００ 決済処理システム
２０２、３０２       制御部
２０４、３０４       記憶部
２０６、３０６、４０２      通信部
２０８、３１０       表示部
２１０、３１２       入力部
２１２、３１４       スピーカ部
２１４、３１６       プリンタ部
３０８ カード読取部
４０４ 決済端末認証部
４０６ 決済情報管理部
４０８ 決済端末メンテナンス部
４１０ カード決済サービスセンタ中継部
【図１】
2019152981.tif 000003
【図２】
2019152981.tif 000004
【図３】
2019152981.tif 000005
【図４】
2019152981.tif 000006
【図５】
2019152981.tif 000007
【図６】
2019152981.tif 000008
【図７】
2019152981.tif 000009